(57)【要約】【課題】電極間の平行度がより高い熱電モジュールを提供する。【解決手段】ペルチェモジュール（熱電モジュール）１０は、第１の電極２０ａおよび第２の電極２０ｂと、第１の熱電変換素子３０ａおよび第２の熱電変換素子３０ｂとを備える。第１の熱電変換素子３０ａおよび第２の熱電変換素子３０ｂは、第１の電極２０ａと第２の電極２０ｂとの間に設けられる。第１の熱電変換素子３０ａの第１面および第２の熱電変換素子３０ｂの第１面は、第１の電極２０ａと接続され、第１の熱電変換素子３０ａの第２面および第２の熱電変換素子３０ｂの第２面は、第２の電極２０ｂと接続される。【選択図】図１
2013219074.tif 000002
【特許請求の範囲】
【請求項１】
第１の電極と、
前記第１の電極の一部と対向して配設される第２の電極と、
前記第１の電極と前記第２の電極との間に設けられ、通電の極性に応じて放熱と吸熱の相反する作用を行う第１面と該第１面とは反対の作用をする第２面を有する第１の熱電変換素子および第２の熱電変換素子と、を有する熱電モジュールであって、
前記第１の熱電変換素子の前記第１面および前記第２の熱電変換素子の前記第１面は、前記第１の電極と接続され、
前記第１の熱電変換素子の前記第２面および前記第２の熱電変換素子の前記第２面は、前記第２の電極と接続されることを特徴とする熱電モジュール。
【請求項２】
前記第２の電極の一部と対向して配設される第３の電極と、
前記第２の電極と前記第３の電極との間に設けられ、前記第１面と前記第２面を有する第３の熱電変換素子とを有し、
前記第３の熱電変換素子の前記第１面は、前記第３の電極と接続され、
前記第３の熱電変換素子の前記第２面は、前記第２の電極における前記第１の熱電変換素子の前記第２面および前記第２の熱電変換素子の前記第２面が接続される面と接続され、
前記第１の熱電変換素子における重心点と前記第３の熱電変換素子における重心点とを結ぶ仮想線と、前記第２の熱電変換素子における重心点と前記第３の熱電変換素子における重心点とを結ぶ仮想線とが、前記第３の熱電変換素子における重心点のみで交わることを特徴とする請求項１に記載の熱電モジュール。
【請求項３】
前記第２の電極と前記第３の電極との間に設けられ、前記第１面と前記第２面を有する第４の熱電変換素子とを有し、
前記第４の熱電変換素子の前記第１面は、前記第３の電極における前記第３の熱電変換素子の前記第１面が接続される面と接続され、
前記第４の熱電変換素子の前記第２面は、前記第２の電極における前記第１の熱電変換素子の前記第２面および前記第２の熱電変換素子の前記第２面が接続される面と接続され、
前記第１の熱電変換素子における重心点と前記第４の熱電変換素子における重心点とを結ぶ仮想線と、前記第２の熱電変換素子における重心点と前記第４の熱電変換素子における重心点とを結ぶ仮想線と、前記第３の熱電変換素子における重心点と前記第４の熱電変換素子における重心点とを結ぶ仮想線とが、前記第４の熱電変換素子における重心点のみで交わることを特徴とする請求項２に記載の熱電モジュール。
【請求項４】
前記第１〜第４の熱電変換素子は、
前記第１の熱電変換素子における重心点と前記第２の熱電変換素子における重心点とを結ぶ仮想線と、前記第３の熱電変換素子における重心点と前記第４の熱電変換素子における重心点とを結ぶ仮想線とが、長さが同じでかつ平行になるとともに、
前記第１の熱電変換素子における重心点と前記第３の熱電変換素子における重心点とを結ぶ仮想線と、前記第２の熱電変換素子における重心点と前記第４の熱電変換素子における重心点とを結ぶ仮想線とが、長さが同じでかつ平行になるように、それぞれ配設されることを特徴とする請求項３に記載の熱電モジュール。
【発明の詳細な説明】
【技術分野】
【０００１】
本発明は熱電モジュールに関する。
【背景技術】
【０００２】
特許文献１には、スケルトン構造のペルチェモジュール（熱電モジュール）の例が記載されている。ペルチェモジュールを熱交換器に接続して熱交換を行う場合、特に空気を熱媒体として熱通過率を向上させるためには、配線層を厚くし、チップサイズに対して大きくすることが有効な手段である。これはたとえば電極を大きくすることにより達成される。
【先行技術文献】
【特許文献】
【０００３】
【特許文献１】特開２０００−５８９３０号公報
【発明の概要】
【発明が解決しようとする課題】
【０００４】
しかしながら、従来の構成において電極を大きくすると、熱電変換素子（熱電チップ）に対して相対的に電極のサイズが大きくなるため、電極の平行度が出にくいという問題があった。
とくに、特許文献１のようなスケルトン構造の熱電モジュールにおいては、電極を強く固定することが困難であるため、この問題が顕著となる。たとえば図７に示すようなスケルトン構造の熱電モジュールでは、１つの電極１２０に対して熱電変換素子１３０を２つしか使用しないので、これら２つの熱電変換素子１３０によって支持された２点を軸として電極１２０が矢印方向に揺動しやすく、対向する電極１２０間の平行度が確保できない。とくに、はんだ接合時に電極１２０の平行度を確保しにくくなる。この結果として、たとえば熱電モジュールの組み付け性に影響する。
【０００５】
本発明は、このような問題を解決するためになされたものであり、電極間の平行度がより高い熱電モジュールを提供することを目的とする。
【課題を解決するための手段】
【０００６】
上述の問題を解決するため、この発明に係る熱電モジュールは、第１の電極と、第１の電極の一部と対向して配設される第２の電極と、第１の電極と第２の電極との間に設けられ、通電の極性に応じて放熱と吸熱の相反する作用を行う第１面と該第１面とは反対の作用をする第２面を有する第１の熱電変換素子および第２の熱電変換素子と、を有する熱電モジュールであって、第１の熱電変換素子の第１面および第２の熱電変換素子の第１面は、第１の電極と接続され、第１の熱電変換素子の第２面および第２の熱電変換素子の第２面は、第２の電極と接続されることを特徴とする。
【０００７】
このような構成によれば、２つの電極からなる電極対に複数の熱電素子を備える。
【０００８】
第２の電極の一部と対向して配設される第３の電極と、第２の電極と第３の電極との間に設けられ、第１面と第２面を有する第３の熱電変換素子とを有し、第３の熱電変換素子の第１面は、第３の電極と接続され、第３の熱電変換素子の第２面は、第２の電極における第１の熱電変換素子の第２面および第２の熱電変換素子の第２面が接続される面と接続され、第１の熱電変換素子における重心点と第３の熱電変換素子における重心点とを結ぶ仮想線と、第２の熱電変換素子における重心点と第３の熱電変換素子における重心点とを結ぶ仮想線とが、第３の熱電変換素子における重心点のみで交わることを特徴としてもよい。
第２の電極と第３の電極との間に設けられ、第１面と第２面を有する第４の熱電変換素子とを有し、第４の熱電変換素子の第１面は、第３の電極における第３の熱電変換素子の第１面が接続される面と接続され、第４の熱電変換素子の第２面は、第２の電極における第１の熱電変換素子の第２面および第２の熱電変換素子の第２面が接続される面と接続され、第１の熱電変換素子における重心点と第４の熱電変換素子における重心点とを結ぶ仮想線と、第２の熱電変換素子における重心点と第４の熱電変換素子における重心点とを結ぶ仮想線と、第３の熱電変換素子における重心点と第４の熱電変換素子における重心点とを結ぶ仮想線とが、第４の熱電変換素子における重心点のみで交わることを特徴としてもよい。
第１〜第４の熱電変換素子は、第１の熱電変換素子における重心点と第２の熱電変換素子における重心点とを結ぶ仮想線と、第３の熱電変換素子における重心点と第４の熱電変換素子における重心点とを結ぶ仮想線とが、長さが同じでかつ平行になるとともに、第１の熱電変換素子における重心点と第３の熱電変換素子における重心点とを結ぶ仮想線と、第２の熱電変換素子における重心点と第４の熱電変換素子における重心点とを結ぶ仮想線とが、長さが同じでかつ平行になるように、それぞれ配設されることを特徴としてもよい。
【発明の効果】
【０００９】
本発明の熱電モジュールによれば、２つの電極からなる電極対の間に複数の熱電変換素子を備えるので、電極対の平行度がより高くなる。
【図面の簡単な説明】
【００１０】
【図１】本発明の実施の形態１に係るペルチェモジュールの構成の例を示す図である。
【図２】図１のペルチェモジュールを熱伝導方向から見た図である。
【図３】本発明の実施の形態２に係るペルチェモジュールの構成の例を示す図である。
【図４】本発明の実施の形態３に係るペルチェモジュールの構成の例を示す図である。
【図５】本発明の実施の形態４に係るペルチェモジュールの構成の例を示す図である。
【図６】本発明の実施の形態４の変形例に係るペルチェモジュールの構成の例を示す図である。
【図７】従来の熱電モジュールの構成の例を示す図である。
【発明を実施するための形態】
【００１１】
以下、この発明の実施の形態を添付図面に基づいて説明する。
実施の形態１．
図１に、本発明の実施の形態１に係るペルチェモジュール（熱電モジュール）１０の例を示す。ペルチェモジュール１０は、複数の電極２０と、複数の電極２０を互いに接続する複数の熱電変換素子３０とを備える。ペルチェモジュール１０は、たとえば、いわゆるスケルトン構造を有する。
【００１２】
図１の例では、５つの電極を有する例で、第１〜第３の電極２０ａ〜ｃを使って説明をする。
ペルチェモジュール１０は第１の電極２０ａ、第２の電極２０ｂおよび第３の電極２０ｃを備える。第２の電極２０ｂは、第１の電極２０ａの一部と対向して配設され、第３の電極２０ｃは、第２の電極２０ｂの一部と対向して配設される。第１の電極２０ａと第２の電極２０ｂとは、これらの間に設けられる第１の熱電変換素子３０ａおよび第２の熱電変換素子３０ｂによって接続される。
【００１３】
第１の熱電変換素子３０ａおよび第２の熱電変換素子３０ｂは、いずれも、通電の極性に応じて放熱と吸熱の相反する作用を行う第１面と、該第１面とは反対の作用をする第２面を有する。第１の熱電変換素子３０ａの第１面および第２の熱電変換素子３０ｂの第１面は、第１の電極２０ａと接続され、第１の熱電変換素子３０ａの第２面および第２の熱電変換素子３０ｂの第２面は、第２の電極２０ｂと接続される。
【００１４】
同様に、第２の電極２０ｂと第３の電極２０ｃとは、これらの間に設けられる第３の熱電変換素子３０ｃおよび第４の熱電変換素子３０ｄによって接続される。第３の熱電変換素子３０ｃおよび第４の熱電変換素子３０ｄもまた、通電の極性に応じて放熱と吸熱の相反する作用を行う第１面と、該第１面とは反対の作用をする第２面を有する。第３の熱電変換素子３０ｃの第１面および第４の熱電変換素子３０ｄの第１面は、第３の電極２０ｃと接続され、第３の熱電変換素子３０ｃの第２面および第４の熱電変換素子３０ｄの第２面は、第２の電極２０ｂと接続される。
【００１５】
各電極の１つの面に複数の熱電変換素子が接続される。たとえば、第１の熱電変換素子３０ａ、第２の熱電変換素子３０ｂ、第３の熱電変換素子３０ｃおよび第４の熱電変換素子３０ｄは、いずれも第２の電極２０ｂの同一の面に接続される。
【００１６】
各熱電変換素子３０は、電圧の印加に応じて双方向に熱を伝導する。この熱が伝導する方向を、熱伝導方向と定義する。本実施形態では、すべての熱電変換素子３０が平行に配置されており、したがって、各熱電変換素子３０の熱伝導方向はいずれも図１の熱伝導方向Ｄ１となり、（同じ向きまたは逆向きに）一致する。ただし、各熱電変換素子３０の熱伝導方向がそれぞれ異なる構成を除外するものではない。
【００１７】
電極２０は２列に配列される。図１の例では、第１の電極２０ａおよび第３の電極２０ｃは第１の電極列に属し、第２の電極２０ｂは第２の電極列に属する。同じ電極列に属する電極は、熱伝導方向とは異なるある方向に離間して配置される。この方向を、電極配列方向と定義する。
【００１８】
本実施形態では、図１に示すように、電極配列方向Ｄ２は熱伝導方向Ｄ１と垂直である。また、図１では、第１の電極２０ａおよび第３の電極２０ｃは、電極配列方向Ｄ２に離間して配置される。同様に、図１では、第２の電極２０ｂから電極配列方向Ｄ２を見た両側にも、それぞれ１つずつ電極が配置されている。なお、第１の電極２０ａおよび第３の電極２０ｃから電極配列方向Ｄ２を見た両側に、さらなる電極が配置されてもよい。
【００１９】
２つの電極列は、熱伝導方向Ｄ１に離間して配置される。すなわち、第１の電極２０ａおよび第３の電極２０ｃと、第２の電極２０ｂとは、熱伝導方向Ｄ１に離間して配置される。また、図１の例では、第１の電極２０ａおよび第３の電極２０ｃは熱伝導方向Ｄ１において同じ位置（同じ座標）に配置されるが、これらは熱伝導方向Ｄ１において異なる位置（異なる座標）に配置されてもよい。
【００２０】
図２は、図１の構成を熱伝導方向Ｄ１から見た図である。図２では図示の都合上、第１の電極２０ａおよび第３の電極２０ｃと、第２の電極２０ｂとを紙面上下方向に多少ずらしている。
熱伝導方向Ｄ１から見て、第１の電極２０ａと第２の電極２０ｂとは互いに一部が重なる位置に配置される。また、互いに重ならない部分は、互いに重なる部分を挟んで、電極配列方向Ｄ２両側に位置する。同様に、第２の電極２０ｂと第３の電極２０ｃとは互いに一部が重なる位置に配置され、互いに重ならない部分は、互いに重なる部分を挟んで、電極配列方向Ｄ２両側に位置する。なお、各電極２０の形状またはサイズが異なる場合には、熱伝導方向Ｄ１からみて一方の電極２０の全体が他方の電極２０に重なるように配置されてもよい。
【００２１】
熱伝導方向Ｄ１と電極配列方向Ｄ２とは平行ではないので、これらのいずれとも垂直な方向はただ１つに定まる。この方向をモジュール幅方向Ｄ３と定義する。なお、本実施形態ではペルチェモジュール１０の長手方向（たとえば電極２０の配列方向）が電極配列方向Ｄ２に一致し、熱伝導方向Ｄ１がペルチェモジュール１０の厚さ方向（たとえば熱電変換素子３０の長手方向）に一致するので、この方向はペルチェモジュール１０の幅に相当する方向となる。しかしながら、ペルチェモジュール１０の形状によっては、モジュール幅方向Ｄ３は必ずしもペルチェモジュール１０の「幅」に相当する方向でなくともよい。
【００２２】
同一の電極対を接続する各熱電変換素子３０は、モジュール幅方向Ｄ３において異なる位置に配置される。たとえば、第１の熱電変換素子３０ａおよび第２の熱電変換素子３０ｂは、いずれも第１の電極２０ａおよび第２の電極２０ｂからなる電極対を接続する熱電変換素子であるが、これらはモジュール幅方向Ｄ３に離間している。また、第３の熱電変換素子３０ｃおよび第４の熱電変換素子３０ｄは、いずれも第２の電極２０ｂおよび第３の電極２０ｃからなる電極対を接続する熱電変換素子であるが、これらもまたモジュール幅方向Ｄ３に離間している。
【００２３】
異なる電極対を接続する各熱電変換素子３０は、電極配列方向Ｄ２において異なる位置に配置される。たとえば、第１の熱電変換素子３０ａと、第３の熱電変換素子３０ｃとは、それぞれ接続する電極対が同一ではなく、これらは電極配列方向Ｄ２に離間して配置される。同様に、電極配列方向Ｄ２において、第１の熱電変換素子３０ａと第４の熱電変換素子３０ｄとは離間して配置され、第２の熱電変換素子３０ｂと第３の熱電変換素子３０ｃおよび第４の熱電変換素子３０ｄとは離間して配置される。
【００２４】
本実施形態では、各熱電変換素子３０は長方形の頂点を構成する位置に配置される。たとえば第１の熱電変換素子３０ａ、第２の熱電変換素子３０ｂ、第３の熱電変換素子３０ｃおよび第４の熱電変換素子３０ｄは、同一の長方形の各頂点を構成する。
【００２５】
図２において、第１の熱電変換素子３０ａ、第２の熱電変換素子３０ｂ、第３の熱電変換素子３０ｃおよび第４の熱電変換素子３０ｄそれぞれの重心点を、点Ｇ１、Ｇ２、Ｇ３およびＧ４として示す。このとき、各点を結ぶ仮想線について、次のことがいえる。
仮想線Ｇ１Ｇ３と仮想線Ｇ２Ｇ３とは、点Ｇ３のみで交わっている。仮想線Ｇ１Ｇ４、仮想線Ｇ２Ｇ４および仮想線Ｇ３Ｇ４は、点Ｇ４のみで交わっている。仮想線Ｇ１Ｇ２と、仮想線Ｇ３Ｇ４とは、長さが同じであり、かつ平行である。仮想線Ｇ２Ｇ３と、仮想線Ｇ１Ｇ４とは、長さが同じであり、かつ平行である。
【００２６】
以上のように構成されるペルチェモジュール１０によれば、２つの電極２０からなる電極対の間に複数の熱電変換素子３０を備える（たとえば、第１の電極２０ａと第２の電極２０ｂとの間に第１の熱電変換素子３０ａおよび第２の熱電変換素子３０ｂを備える）ので、電極対の平行度がより高くなる。この構成は、１つの電極２０に対して４つの熱電変換素子３０を備える構成（たとえば、第２の電極２０ｂに対して第１の熱電変換素子３０ａ〜第４の熱電変換素子３０ｄを備える構成）に対応する。
この結果として、図７に示すような電極の揺動を防止することができ、各電極間の平行度がより高くなる。結果として、たとえば熱電モジュールの組み付け性が向上する。
【００２７】
実施の形態２．
実施の形態２は、実施の形態１よりも多くの熱電変換素子３０を用いるものである。
図３に、実施の形態２に係るペルチェモジュールの構成を示す。図３は実施の形態１における図２と同一の方向から見たものである。
本実施形態では、２つの電極２０からなる電極対の間に３つの熱電変換素子３０を備える。すなわち、１つの電極２０に対して６つの熱電変換素子３０を備える。このため、電極対の平行度をより高くすることができる。
【００２８】
１つの電極２０に対する熱電変換素子３０の数は、４より多ければよい。５つであってもよく、また７つ以上であってもよい。
【００２９】
実施の形態３．
実施の形態３は、実施の形態１よりも少ない熱電変換素子３０を用いるものである。
図４に、実施の形態３に係るペルチェモジュールの構成を示す。図４は実施の形態１における図２と同一の方向から見たものである。
【００３０】
本実施形態では、２つの電極２０からなる電極対の間に１つの熱電変換素子３０（熱電変換素子３０ｇまたは３０ｊ）を備える構造と、２つの電極２０からなる電極対の間に２つの熱電変換素子３０（熱電変換素子３０ｅおよび３０ｆ、あるいは熱電変換素子３０ｈおよび３０ｉ）を備える構造との双方を備え、これらの構造が交互に配置される。前者の構造は実施の形態１の構成の一部に相当し、後者の構造は図７に示す従来の構成の一部に相当する。
【００３１】
このような配置により、各熱電変換素子３０は三角形の頂点を構成する。図４の例では、これらの三角形はすべて二等辺三角形である。本実施形態では、実施の形態１よりは熱電変換素子３０の数が少ないが、１つの電極２０に対して３つの熱電変換素子３０を備えるので、３点で電極２０を支持することができ、電極対の平行度を従来の構成より高くすることができる。
【００３２】
このような構成は、各熱電変換素子３０の熱電特性が均一ではない場合にとくに有効である。たとえば、ｎ型半導体を備える熱電変換素子と、ｐ型半導体を備える熱電変換素子とで熱電特性が異なる場合がある。このような場合には、熱伝導効率のより高いものを単独で（すなわち熱電変換素子３０ｇおよび３０ｊとして）配置し、熱伝導効率のより低いものを複数で（すなわち熱電変換素子３０ｅ、３０ｆ、３０ｈおよび３０ｉとして）配置することにより、電極間の平行度を確保しつつ、各電極の温度バラツキを解消することができる。
【００３３】
また、各熱電変換素子３０の熱電特性が均一ではない場合、ｐ型素子とｎ型素子との断面積の比率を変えることで各電極の温度バラツキを解消してもよい。
この場合、ｐ型素子の断面積Ｓｐとｎ型素子の断面積Ｓｎとの比がＳｐ／Ｓｎ＝√｛（ρｐ・κｎ）／（ρｎ・κｐ）｝を満足するようにそれぞれの断面積を選べば良い。ただし、ρｐおよびρｎはそれぞれｐ型素子およびｎ型素子の抵抗率を表し、κｐおよびκｎはそれぞれｐ型素子およびｎ型素子の熱伝導率を表す。
たとえば、この比Ｓｐ／Ｓｎが２の場合、ｐ型素子の数をｎ型素子の２倍とすることにより、電極間の平行度を確保しつつ、各電極の温度バラツキを解消することができる。
【００３４】
実施の形態４．
実施の形態４は、実施の形態１において熱電変換素子３０の位置を変更するものである。
図５に、実施の形態４に係るペルチェモジュールの構成を示す。図５は実施の形態１における図２と同一の方向から見たものである。
【００３５】
図５では、各熱電変換素子３０は、長方形ではない平行四辺形の各頂点を構成する。このような構成においても、同一の電極対を接続する各熱電変換素子３０がモジュール幅方向において異なる位置に配置されるので、電極対の平行度を高くすることができる。
【００３６】
図６に、実施の形態４の変形例に係るペルチェモジュールの構成を示す。図６は実施の形態１における図２と同一の方向から見たものである。図６では、各熱電変換素子３０は不規則な四辺形の各頂点を構成する。このような構成においても、同一の電極対を接続する各熱電変換素子３０がモジュール幅方向において異なる位置に配置されるので、電極対の平行度を高くすることができる。
【００３７】
とくに、実施の形態１〜３では各熱電変換素子３０がモジュール幅方向Ｄ３（図６における紙面上下方向に相当）に離間して配置されているが、図６の例では一部の熱電変換素子３０はモジュール幅方向において一部または全部が重なる位置に配置される。たとえば、熱電変換素子３０ｋおよび３０ｍは、モジュール幅方向において異なる位置に、互いに一部が重なるように配置されている。また、熱電変換素子３０ｎおよび３０ｏは、モジュール幅方向において同じ位置に配置されている。このような構成においても、１つの電極２０に対する熱電変換素子３０がすべて一直線上に配置されない限り、電極対の平行度を従来の構成よりも高くすることができる。
【００３８】
上述の実施の形態１〜４では各電極２０はすべて同一形状の直方体であり、最大の辺（長さに相当）は電極配列方向Ｄ２に沿って配置され、次に長い辺（幅に相当）はモジュール幅方向Ｄ３に沿って配置され、最も短い辺（厚さに相当）は熱伝導方向Ｄ１に沿って配置される。すなわち、各電極２０について、電極配列方向Ｄ２における寸法およびモジュール幅方向Ｄ３における寸法は、熱伝導方向Ｄ１における寸法よりも大きい。
ただし、電極２０はこれ以外の形状であってもよい。たとえば直方体でなくともよく、また直方体である場合でも各辺の大小関係は上記以外のものであってもよく、各電極２０がそれぞれ異なる形状であってもよい。
【００３９】
また、実施の形態１〜４では熱電変換素子３０はすべて同一形状の直方体であり、底面の２面（熱伝導方向Ｄ１方向の面）が正方形によって構成され、直方体における最大の辺（長さに相当）は熱伝導方向Ｄ１に沿って配置され、他の２辺（幅に相当）は電極配列方向Ｄ２またはモジュール幅方向Ｄ３に沿って配置される。ただし、熱電変換素子３０はこれ以外の形状であってもよい。たとえば正方形を含まない直方体であってもよく、各辺の大小関係が上記以外のものであってもよく、また円柱や正六角柱であってもよく、各熱電変換素子３０がそれぞれ異なる形状であってもよい。とくに、実施の形態１〜４では各熱電変換素子３０の長さ（高さ）すなわち熱伝導方向Ｄ１の寸法がすべて等しいが、これはそれぞれ異なっていてもよい。
【００４０】
図１において、直交する３つの方向をそれぞれ熱伝導方向Ｄ１、電極配列方向Ｄ２およびモジュール幅方向Ｄ３と定義したが、熱伝導方向Ｄ１と電極配列方向Ｄ２とは必ずしも直交しなくともよい。また、モジュール幅方向Ｄ３が必ずしもペルチェモジュール１０の幅を表す方向に対応しなくともよい。たとえばペルチェモジュールの形状によっては電極２０が熱伝導方向Ｄ１に順次ずれながら階段状に配列されてもよい。
【符号の説明】
【００４１】
１０  ペルチェモジュール（熱電モジュール）、２０  電極（２０ａ  第１の電極、２０ｂ  第２の電極、２０ｃ  第３の電極）、３０  熱電変換素子（３０ａ  第１の熱電変換素子、３０ｂ  第２の熱電変換素子、３０ｃ  第３の熱電変換素子、３０ｄ  第４の熱電変換素子、３０ｅ〜３０ｏ  熱電変換素子）、Ｄ１  熱伝導方向、Ｄ２  電極配列方向、Ｄ３  モジュール幅方向、Ｇ１〜Ｇ４  第１〜第４の熱電変換素子の重心点。
【図１】
2013219074.tif 000003
【図２】
2013219074.tif 000004
【図３】
2013219074.tif 000005
【図４】
2013219074.tif 000006
【図５】
2013219074.tif 000007
【図６】
2013219074.tif 000008
【図７】
2013219074.tif 000009